【手続補正書】
【提出日】平成16年7月23日(2004.7.23)
【手続補正１】
【補正対象書類名】明細書
【補正対象項目名】特許請求の範囲
【補正方法】変更
【補正の内容】
【特許請求の範囲】
【請求項１】
サーバ装置と携帯無線通信端末とがネットワークを通じて無線接続され、前記携帯無線通信端末が、前記サーバ装置と協働することにより、自分宛ての情報の受信を行うようにする情報通信方法であって、
前記サーバ装置は、前記携帯無線通信端末宛ての受信データの着信があったときに、前記受信データをメモリ部に格納すると共に、前記携帯無線通信端末宛ての受信データの着信があったことを、当該携帯無線通信端末を、この携帯無線通信端末用のネットワークを通じて呼び出して通知し、
前記携帯無線通信端末は、前記サーバ装置からの前記着信の通知を受けて、当該着信を使用者に知らせることを特徴とする情報通信方法。
【請求項２】
請求項１に記載の情報通信方法において、
前記携帯無線通信端末が前記サーバ装置に対して前記ネットワークを通じた接続要求を送出して前記サーバ装置と接続されたときに、前記サーバ装置は、接続された当該携帯無線通信端末宛ての新着の受信データがある場合に、前記携帯無線通信端末に受信データの着信通知の情報を送ることを特徴とする情報通信方法。
【請求項３】
請求項１または請求項２に記載の情報通信方法において、
前記着信の通知を受けた前記携帯無線通信端末は、前記サーバ装置に対して受信データの取得要求を送出する工程を備え、
前記サーバ装置は、前記携帯無線通信端末からの受信データの取得要求に応じて要求された受信データを前記携帯無線通信端末に送出する工程を備えることを特徴とする情報通信方法。
【請求項４】
前記サーバ装置は、ビットマップデータ形式のファクシミリデータを受信し、受信したデータ内容を前記メモリ部に格納すると共に、ファクシミリ着信があったことを前記携帯無線通信端末を呼び出して通知するものであり、
前記着信の通知を受けた前記携帯無線通信端末からの受信データ取得要求に対して、前記サーバ装置は、前記ファクシミリデータを前記ネットワークに適合した画像圧縮方式で圧縮したデータに変換したものを前記携帯無線通信端末に送信することを特徴とする請求項３に記載の情報通信方法。
【請求項５】
前記携帯無線通信端末が、前記サーバ装置と協働することにより、相手方を指定した情報の送信を行うことを特徴とする請求項３または請求項４に記載の情報通信方法。
【請求項６】
前記サーバ装置に対して前記携帯無線通信端末は複数個が接続されるものであり、
前記サーバ装置は、前記携帯無線通信端末のそれぞれの識別情報を管理すると共に、受信データの着信が、いずれの携帯無線通信端末宛ての着信であるかを識別して、前記受信データを前記メモリ部の前記携帯無線通信端末ごとに区分けされたメモリエリアに格納すると共に、前記識別した前記携帯無線通信端末を呼び出して、その着信を通知することを特徴とする請求項１、請求項３、請求項４または請求項５のいずれかに記載の情報通信方法。
【請求項７】
請求項２に記載の情報通信方法において、
前記サーバ装置に対して前記携帯無線通信端末は複数個が接続されるものであり、
前記携帯無線通信端末は、自己の識別情報を含んで、前記サーバ装置に接続要求を送出するものであり、
前記サーバ装置は、前記識別情報により、いずれの携帯無線通信端末が接続要求してきたかを認識し、認識した携帯無線通信端末に対して前記着信の通知を行うことを特徴とする情報通信方法。
【請求項８】
サーバ装置と携帯無線通信端末とがネットワークを通じて無線接続され、前記携帯無線通信端末が、前記サーバ装置と協働することにより、自分宛ての情報の受信を行うようにする情報通信システムであって、
前記サーバ装置は、前記携帯無線通信端末宛ての受信データの着信があったときに、前記受信データをメモリ部に格納する手段と、前記携帯無線通信端末宛ての受信データの着信があったことを、当該携帯無線通信端末を、この携帯無線通信端末用のネットワークを通じて呼び出して通知する手段とを備え、
前記携帯無線通信端末は、前記サーバ装置からの前記着信の通知を受けて、当該着信を使用者に知らせる手段を備えることを特徴とする情報通信システム。
【請求項９】
請求項８に記載の情報通信システムにおいて、
前記携帯無線通信端末は、前記サーバ装置に対して前記ネットワークを通じた接続要求を送出して、前記サーバ装置との通信路を生成する手段を備え、
前記サーバ装置は、前記携帯無線通信端末からの前記接続要求を受けて、前記通信路を生成する手段と、接続された当該携帯無線通信端末宛ての受信データがある場合に、前記携帯無線通信端末に受信データの着信通知の情報を送る手段とを備えることを特徴とする情報通信システム。
【請求項１０】
請求項８または請求項９に記載の情報通信システムにおいて、
前記着信の通知を受けた前記携帯無線通信端末は、前記サーバ装置に対して受信データの取得要求を送出する手段を備え、
前記サーバ装置は、前記携帯無線通信端末からの受信データの取得要求に応じて要求された受信データを前記携帯無線通信端末に送出する手段を備えることを特徴とする情報通信システム。
【請求項１１】
前記サーバ装置が受信するデータは、ビットマップデータ形式のファクシミリデータであり、前記着信を通知する手段は、ファクシミリ着信があったことを前記携帯無線通信端末を呼び出して通知する手段であって、
前記サーバ装置は、前記着信の通知を受けた前記携帯無線通信端末からの受信データ取得要求があったときに、前記ファクシミリデータを前記ネットワークに適合した画像圧縮方式で圧縮したデータに変換したものを前記携帯無線通信端末に送信することを特徴とする請求項１０に記載の情報通信システム。
【請求項１２】
前記携帯無線通信端末が、前記サーバ装置と協働することにより、相手方を指定した情報の送信を行う手段を備えることを特徴とする請求項１０または請求項１１に記載の情報通信システム。
【請求項１３】
前記サーバ装置に対して前記携帯無線通信端末は複数個が接続されるものであり、
前記サーバ装置は、前記携帯無線通信端末のそれぞれの識別情報を管理すると共に、前記受信データの着信が、いずれの携帯無線通信端末宛ての着信であるかを識別して、前記受信データを前記メモリ部の前記携帯無線通信端末ごとに区分けされたメモリエリアに格納すると共に、前記識別した前記携帯無線通信端末を呼び出して、その着信を通知することを特徴とする請求項８、請求項１０、請求項１１または請求項１２のいずれかに記載の情報通信システム。
【請求項１４】
請求項９に記載の情報通信システムにおいて、
前記サーバ装置に対して前記携帯無線通信端末は複数個が接続されるものであり、
前記携帯無線通信端末は、自己の識別情報を含んで、前記サーバ装置に接続要求を送出するものであり、
前記サーバ装置は、前記識別情報によりいずれの携帯無線通信端末が接続要求してきたかを認識し、認識した携帯無線通信端末に対して前記着信の通知を行うことを特徴とする情報通信システム。
【請求項１５】
携帯無線通信端末とネットワークを通じて無線接続され、前記携帯無線通信端末と協働することにより、前記携帯無線通信端末が、自分宛ての受信情報の取得するようにするためのサーバ装置であって、
前記携帯無線通信端末宛ての受信データの着信があったときに、前記受信データをメモリ部に格納すると共に、前記携帯無線通信端末宛ての受信データの着信があったことを、当該携帯無線通信端末を、この携帯無線通信端末用のネットワークを通じて呼び出して通知する手段を備えることを特徴とするサーバ装置。
【請求項１６】
前記携帯無線通信端末からの接続要求を受けて前記携帯無線通信端末との間で通信路を生成する手段と、
接続された当該携帯無線通信端末宛ての受信データがある場合に、前記携帯無線通信端末に受信データの着信通知の情報を送る手段とを備えることを特徴とする請求項１５に記載のサーバ装置。
【請求項１７】
受信するデータは、ビットマップデータ形式のファクシミリデータであり、前記着信を通知する手段は、ファクシミリ着信があったことを前記携帯無線通信端末を呼び出して通知する手段であって、
前記着信の通知を受けた前記携帯無線通信端末からの受信データ取得要求があったときに、前記ファクシミリデータを前記ネットワークに適合した画像圧縮方式で圧縮したデータに変換したものを前記携帯無線通信端末に送信することを特徴とする請求項１５に記載のサーバ装置。
【請求項１８】
前記携帯無線通信端末は複数個が接続されるものであり、
前記携帯無線通信端末のそれぞれの識別情報を管理すると共に、前記受信データの着信が、いずれの携帯無線通信端末宛ての着信であるかを識別して、前記受信データを前記メモリ部の前記携帯無線通信端末ごとに区分けされたメモリエリアに格納すると共に、前記識別した前記携帯無線通信端末を呼び出して、その着信を通知することを特徴とする請求項１５または請求項１７に記載にサーバ装置。
【請求項１９】
請求項１６に記載のサーバ装置において、
前記携帯無線通信端末は複数個が接続されるものであり、
前記サーバ装置は、前記携帯無線通信端末からの接続要求に含まれる前記携帯無線通信端末の識別情報によりいずれの携帯無線通信端末が接続要求してきたかを認識し、認識した携帯無線通信端末に対して前記着信の通知を行うことを特徴とするサーバ装置。
【請求項２０】
ネットワークを通じてサーバ装置と無線接続され、このサーバ装置と協働することにより、相手方を指定した情報の送信を行うと共に、自分宛ての情報の受信を行うようにする携帯無線通信端末であって、
前記サーバ装置からの前記着信の通知を受けて、当該着信を使用者に知らせる手段を備えることを特徴とする携帯無線通信端末。
【請求項２１】
前記サーバ装置に前記ネットワークを通じた接続要求を送出する手段と、
前記接続要求により接続された通信路を通じて、当該接続時に前記サーバ装置から送られてくる着信通知情報を取得して、着信の有無を使用者に報知する手段と、
を備える請求項２０に記載の携帯無線通信端末。
【請求項２２】
請求項２１に記載の携帯無線通信端末において、
前記サーバ装置とのネットワークを通じた接続のための接続要求に、自己の端末の識別情報を含めて送信する携帯無線通信端末。
【請求項２３】
前記サーバ装置に対して受信データの取得要求を送出する手段と、
前記取得要求に応じて前記サーバ装置から送られてくる受信データを使用者に提供する手段を備えることを特徴とする請求項２０または請求項２１に記載の携帯無線通信端末。
【請求項２４】
前記サーバ装置と協働することにより、相手方を指定した情報の送信を行う手段を備えることを特徴とする請求項２３に記載の携帯無線通信端末。
【請求項２５】
公衆回線網と接続されたサーバ装置とネットワークを通じて無線接続する携帯無線通信端末において、
インターネットを通じてコンテンツ提供装置が提供するコンテンツを前記サーバ装置から取得し閲覧する機能を有する
ことを特徴とする携帯無線通信端末。
【請求項２６】
接続キーが押された場合に、前記サーバ装置に接続し、前記サーバ装置が提供する情報の一覧を取得する機能を有する
ことを特徴とする請求項２５に記載の携帯無線通信端末。
【請求項２７】
公衆回線網と接続し、携帯無線通信端末とネットワークを通じて無線接続するサーバ装置において、
前記携帯無線通信端末からの接続処理に応じて、インターネットを通じてコンテンツ提供装置が提供するコンテンツを前記携帯無線通信端末に提供する機能を有するサーバ装置。